(57)【特許請求の範囲】
【請求項１】
円筒形のハウジングを基枠とし、磁気発生用のマグネットと、マグネットを挟んで相対するヨーク並びにポールピースとからなる磁気回路部を薄板状のスプリングで支持させてハウジングの内部に組み付けると共に、ハウジングの開放端に嵌合せ固定するダイアフラムと、ダイアフラムの内側に取り付けるボイスコイルと、ハウジングの側壁より外方に突出する端子台に取り付ける端子金具とを備え、ボイスコイルを端子金具と電気的に接続し、且つ、その端子金具を回路基板の導電パターンと電気的に接続させて外装ケーシングの内部に装備する電磁誘導型アクチュエータ装置の取付構造において、
ダイアフラムを嵌合せ固定するハウジングの開放端と反対側で端子台よりハウジングの外方に伸びる板バネを有する端子金具を端子台に備え、弾性材をパッド材として板バネの突出側でハウジングの開放端側と回路基板の板面との間に挟み込むと共に、板バネを回路基板の導電パターンに圧接させて端子金具を回路基板の導電パターンと電気的に接続したことで、回路基板との接触部分を端子金具と弾性材のみで構成した電磁誘導型アクチュエータ装置の取付構造。
【請求項２】
付け根側をハウジングの斜め外方に突出させて先端側を反上げ曲げた略レ字状の板バネを有する端子金具を端子台に備え、その板バネを回路基板の導電パターンに弾圧圧接させて端子金具を回路基板の導電パターンと電気的に接続したことを特徴とする請求項１に記載の電磁誘導型アクチュエータ装置の取付構造。
【請求項３】
端子金具を備える端子台を除いてハウジングの側壁を外側から覆う側壁部と、ハウジングの各開放端を覆う環状の張出しフランジ部とを有する弾性材のブッシュを備え、ハウジングの片開放端を覆う張出しフランジ部をパッド材として回路基板の板面との間に挟み込むと共に、その他側の開放端を覆う張出しフランジ部を放音孔囲込み兼用のシール材として外装ケーシングの内側に組み付けたことを特徴とする請求項１または２に記載の電磁誘導型アクチュエータ装置の取付構造。
【請求項４】
突部を側壁部の外周に設けたブッシュを備えると共に、そのブッシュの突部と嵌り合う凹部を有する止め縁を設けた外装ケーシングまたは回路基板を備え、ブッシュの突部を凹部に嵌め込んでブッシュを含む電磁誘導型アクチュエータ装置を止め縁で外装ケーシングまたは回路基板に止着固定したことを特徴とする請求項３に記載の電磁誘導型アクチュエータ装置の取付構造。
【請求項５】
弾性材の突起を側壁の外側面で円周方向定間隔毎に複数取り付けたハウジングを備えると共に、そのハウジングの突起と嵌り合う凹部を有する止め縁を設けた外装ケーシングまたは回路基板を備え、ハウジングの突起を凹部に嵌め込んで電磁誘導型アクチュエータ装置を止め縁で外装ケーシングまたは回路基板に止着固定したことを特徴とする請求項１または２に記載の電磁誘導型アクチュエータ装置の取付構造。
【請求項６】
ハウジングの片開放端を覆う弾性材をパッド材としてハウジングの片開放端と回路基板の板面との間に挟み込むと共に、その他側の開放端を覆うシール材を放音孔の囲込み兼用として外装ケーシングの内側に組み付けたことを特徴とする請求項５に記載の電磁誘導型アクチュエータ装置の取付構造。
【請求項７】
環状の突条を回路基板の板面と相対する面内に設けた弾性材を備え、その突条を圧縮変形させて弾性材をパッド材としてハウジングの片開放端と回路基板の板面との間に挟み込んだことを特徴とする請求項１〜６のいずれかに記載の電磁誘導型アクチュエータ装置の取付構造。
【請求項８】
電磁誘導型アクチュエータ装置を携帯電話の内部に組付け装備するのに適用したことを特徴とする請求項１〜７のいずれかに記載の電磁誘導型アクチュエータ装置の取付構造。
【発明の詳細な説明】
【０００１】
【発明の属する技術分野】
本発明は、主として振動体である電磁誘導型アクチュエータ装置と回路基板の導電パターンとの電気的接続を確実に取れるよう改良した電磁誘導型アクチュエータ装置の取付構造に関するものである。
【０００２】
【従来の技術】
一般に、電磁誘導型アクチュエータ装置としては円筒形のハウジングを基枠とし、磁気発生用のマグネットと、マグネットを挟んで相対するヨーク並びにポールピースとから磁気回路部を形成し、その磁気回路部を薄板状のスプリングで支持させてハウジングの内部に組み付け、更に、ハウジングの開放端に嵌合せ固定するダイアフラムと、ダイアフラムの内側に取り付けるボイスコイルと、ハウジングの側壁より外方に突出する端子台に取り付ける端子金具とを備え、ボイスコイルを端子金具と電気的に接続することにより構成するものがある。
【０００３】
この電磁誘導型アクチュエータ装置は、ボイスコイルに印加する電流とマグネットの磁界作用により、低周波信号の印加では磁気回路部を支持するスプリングから振動を発生し、高周波信号の印加ではダイアフラムから共鳴音を発生するよう構成されている。
【０００４】
従来、その電磁誘導型アクチュエータ装置では作動中に振動を伴うため、ボイスコイルと回路基板の導電パターンとを電気的に接続するのにボイスコイルより引き出すフレキシブルコードが用いられている。このフレキシブルコードは、それ自体は振動に耐えられるが、ボイスコイルとの接点または回路基板の導電パターンとの接点に負荷が加わることにより各接点で断線し易い。
【０００５】
振動発生機構の電気的接続に関しては、偏心分銅による振動発生機構のケースから板バネを斜めに引き出し、この板バネを給電ランドに圧接させて振動発生機構と回路基板の導電パターンとの電気的接続を取り（特開平１１−１３６９０１号）、また、その板バネをケースの外側に取り付ける弾性押圧体で受けて給電ランドに圧接することにより振動発生機構と回路基板の導電パターンとの電気的接続を取ることが提案されている（特開２０００−７８７９０号）。
【０００６】
その板バネによる電気的接続では、振動発生機構と回路基板の板面との相対間隔を確実に保つよう振動発生機構を正確に位置決め装着する必要がある。特に、板バネをケースの外側に取り付ける弾性押圧体で受けるものでは板バネが圧接し過ぎにより弾性押圧体にめり込んで接触不良を来す虞れがある。
【０００７】
【発明が解決しようとする課題】
本発明は、振動発生機構として端子金具を回路基板の導電パターに圧接させて電気的に接続する接点構造により回路基板との相対間隔を正確に保って電気的に確実に接続でき、併せて、音響発生機構として余計な振動が回路基板や外装ケーシングに伝わることによる共振防止，衝撃による内部機構の損傷防止も図れるよう改良した電磁誘導型アクチュエータ装置の取付構造を提供することを目的とする。
【０００８】
また、本発明は外装ケーシングの内部における漏れ音響を防いで音響特性を向上するよう改良した電磁誘導型アクチュエータ装置の取付構造を提供することを目的とする。
【０００９】
それに加えて、本発明は回路基板との相対間隔を正確に保って電磁誘導型アクチュエータ装置を簡単に組付け装着できるよう改良した電磁誘導型アクチュエータ装置の取付構造を提供することを目的とする。
【００１０】
【課題を解決するための手段】
本発明の請求項１に係る電磁誘導型アクチュエータ装置の取付構造においては、円筒形のハウジングを基枠とし、磁気発生用のマグネットと、マグネットを挟んで相対するヨーク並びにポールピースとからなる磁気回路部を薄板状のスプリングで支持させてハウジングの内部に組み付けると共に、ハウジングの開放端に嵌合せ固定するダイアフラムと、ダイアフラムの内側に取り付けるボイスコイルと、ハウジングの側壁より外方に突出する端子台に取り付ける端子金具とを備え、ボイスコイルを端子金具と電気的に接続し、且つ、その端子金具を回路基板の導電パターンと電気的に接続させて外装ケーシングの内部に装備する電磁誘導型アクチュエータ装置を取り付けるもので、
ダイアフラムを嵌合せ固定するハウジングの開放端と反対側で端子台よりハウジングの外方に伸びる板バネを有する端子金具を端子台に備え、弾性材をパッド材として板バネの突出側でハウジングの開放端側と回路基板の板面との間に挟み込むと共に、板バネを回路基板の導電パターンに圧接させて端子金具を回路基板の導電パターンと電気的に接続したことで、前記回路基板との接触部分が前記端子金具と前記弾性材のみで構成されている。
【００１１】
本発明の請求項２に係る電磁誘導型アクチュエータ装置の取付構造においては、付け根側をハウジングの斜め外方に突出させて先端側を反上げ曲げた略レ字状の板バネを有する端子金具を端子台に備え、その板バネを回路基板の導電パターンに弾圧圧接させて端子金具を回路基板の導電パターンと電気的に接続することにより構成されている。
【００１２】
本発明の請求項３に係る電磁誘導型アクチュエータ装置の取付構造においては、端子金具を備える端子台を除いてハウジングの側壁を外側から覆う側壁部と、ハウジングの各開放端を覆う環状の張出しフランジ部とを有する弾性材のブッシュを備え、ハウジングの片開放端を覆う張出しフランジ部をパッド材として回路基板の板面との間に挟み込むと共に、その他側の開放端を覆う張出しフランジ部を放音孔囲込み兼用のシール材として外装ケーシングの内側に組み付けることにより構成されている。
【００１３】
本発明の請求項４に係る電磁誘導型アクチュエータ装置の取付構造においては、突部を側壁部の外周に設けたブッシュを備えると共に、そのブッシュの突部と嵌り合う凹部を有する止め縁を設けた外装ケーシングまたは回路基板を備え、ブッシュの突部を凹部に嵌め込んでブッシュを含む電磁誘導型アクチュエータ装置を止め縁で外装ケーシングまたは回路基板に止着固定することにより構成されている。
【００１４】
本発明の請求項５に係る電磁誘導型アクチュエータ装置の取付構造においては、弾性材の突起を側壁の外側面で円周方向定間隔毎に複数取り付けたハウジングを備えると共に、そのハウジングの突起と嵌り合う凹部を有する止め縁を設けた外装ケーシングまたは回路基板を備え、ハウジングの突起を凹部に嵌め込んで電磁誘導型アクチュエータ装置を止め縁で外装ケーシングまたは回路基板に止着固定することにより構成されている。
【００１５】
本発明の請求項６に係る電磁誘導型アクチュエータ装置の取付構造においては、ハウジングの片開放端を覆う弾性材をパッド材としてハウジングの片開放端と回路基板の板面との間に挟み込むと共に、その他側の開放端を覆うシール材を放音孔の囲込み兼用として外装ケーシングの内側に組み付けることにより構成されている。
【００１６】
本発明の請求項７に係る電磁誘導型アクチュエータ装置の取付構造においては、環状の突条を回路基板の板面と相対する面内に設けた弾性材を備え、その突条を圧縮変形させて弾性材をパッド材としてハウジングの片開放端と回路基板の板面との間に挟み込むことにより構成されている。
【００１７】
本発明の請求項８に係る電磁誘導型アクチュエータ装置の取付構造においては、電磁誘導型アクチュエータ装置を携帯電話の内部に組付け装備するのに適用するよう構成されている。
【００１８】
【発明の実施の形態】
以下、添付図面を参照して説明すると、図１は好適な実施の形態として電磁誘導型アクチュエータ装置を携帯電話の内部に組付け装備した場合を示す。この電磁誘導型アクチュエータ装置１は、回路基板２の導電パターン２０（但し、直接的には導電ランドと接続させる。）と後述する端子金具１７(１７)の板バネ１７ａで電気的に接続し、また、後述する弾性材のブッシュ３で外側から覆うことにより外装ケーシング４の内部に装備されている。なお、同図中、電磁誘導型アクチュエータ装置１はブッシュ３の内部に位置している。
【００１９】
電磁誘導型アクチュエータ装置１は、図２で示すように開放端１０ａ，１０ｂを両側に有する円筒形のハウジング１０を基枠とし、磁気発生用のマグネット１１と、マグネット１１を挟んで相対するヨーク１２並びにポールピース１３とから磁気回路部を形成し、そのヨーク１２の外周部１２ａを薄板状のスプリング１４ａ，１４ｂで挟み込んだダブルサスペンス構造により支持させてハウジング１０の内部に組み付ける構成を有する。
【００２０】
また、ハウジング１０の開放端１０ａに嵌合せ固定するダイアフラム１５と、ダイアフラム１５の内側に取り付けるボイスコイル１６と、ハウジング１０の側壁１０ｃより外方に突出する端子台１０ｄに取り付ける＋，−極用の端子金具１７（１７）とを備え、ボイスコイル１６をリード線（図示せず）で各端子金具１７（１７）と電気的に接続し、更に、複数の通気孔１８ａ，１８ｂ…を点在させて設けたカバー１８をハウジング１０の開放端１０ｂに嵌込み固定する構成を有する。
【００２１】
その構成部中、マグネット１１とポールピース１３とはヨーク１２の凹部１２ｂに重ねて取り付けることにより内磁型のものとして組み付けられている。各スプリング１４ａ，１４ｂは、外周端をハウジング１０の側壁１０ｃに設けた内側段部１０ｅ，１０ｆに嵌め込んでハウジング１０の内部に取付固定されている。また、ダイアフラム１５は外周縁をハウジング１０の開放端１０ａに設けた内側段部１０ｇに嵌め込んで取付固定されている。
【００２２】
＋，−極用の端子金具１７（１７）はリン青銅，チタン銅等の導電性を有する金属薄板から折曲げ形成したもので、付け根側をハウジング１０の斜め外方に突出させて二股状の先端側を反上げ曲げた略レ字状の板バネ１７ａを有するものが備え付けられている。この端子金具１７(１７)はハウジング１０を樹脂成形するのに伴って端子台１０ｄにインサート成形することによりボイスコイル１６のリード線を接続する接点板１７ｂまで連続するよう備え付けられている。
【００２３】
ブッシュ３は、ゴム，シリコン等の弾性を有する材料から形成されている。このブッシュ３としては、図３で示すように端子金具１７（１７）を備える端子台１０ｄを除いてハウジング１０の側壁１０ｃを外側から覆う側壁部３０と、ハウジング１０の各開放端１０ａ，１０ｂを覆う環状の張出しフランジ部３１，３２とを有するものが備え付けられている。そのブッシュ３では、張出しフランジ部３１，３２が環状に形成されているため、カバー１８の通気孔１８ａ，１８ｂ…を設けた内面並びにダイアフラム１５の中央部には被らない。
【００２４】
そのブッシュ３には、図４で示すように端子台１０ｄを外部に突出する開口部３３が設けられている。また、半円形を呈する環状の突部３４，３５が側壁部３０の外周に設けられている。更に、環状の突条３６が回路基板の板面と相対する張出しフランジ部３１の面内に設けられている。これに加えて、後述する如く張出しフランジ部３２を外装ケーシングの内部に立ち上がる押え縁で押圧することから、環状の突条３６と同様の突条３７を張出しフランジ部３２の面内に設けるようにできる。
【００２５】
回路基板２としては、図１で示すように電磁誘導型アクチュエータ装置１、その他必要な各種の回路部品を電気的に接続する導電パターン２０を板面に設けたものが備え付けられている。この回路基板２の板面には、電磁誘導型アクチュエータ装置１のカバー１８に設けた通気孔１８ａ，１８ｂ…と連通する複数の通気孔２１ａ，２１ｂ…も設けられている。
【００２６】
外装ケーシング４としては、アッパーケース部４０とアンダーケース部４１からなるものが備え付けられている。そのアッパーケース部４０には、放音孔４２ａ，４２ｂ…が設けられている。また、アッパーケース部４０の内側にはブッシュ３で覆った電磁誘導型アクチュエータ装置１の止め縁４３が設けられている。この止め縁４３は、ブッシュ３の突部３４を嵌め込む凹部４４を有するもので、ブッシュ３の円周方向に対応させて等間隔毎に複数設けるようにできる。
【００２７】
その他、アッパーケース部４０の内側にはブッシュ３の張出しフランジ部３２を押える押え縁４５が設けられている。この押え縁４５は、ブッシュ３の張出しフランジ部３２に相応する環状の立上り縁として設けるとよい。また、電磁誘導型アクチュエータ装置１の止め縁４３と共に、端子台１０ｄを側端面より押えるストッパ縁４６を設けるようにできる。アンダーケース部４１には、受け縁４７を設けることにより回路基板２を取付固定できる。
【００２８】
これら各部から、電磁誘導型アクチュエータ装置１を外装ケーシング４の内部に装備するには、まず、端子台１０ｄを開口部３３より外部に突出させてブッシュ３を電磁誘導型アクチュエータ装置１の外側に被せる。次に、そのブッシュ３を被せた電磁誘導型アクチュエータ装置１をアッパーケース部４０の内側に設けた複数の止め縁４３並びにストッパ縁４６で区画する空間内に組み付ける。
【００２９】
その電磁誘導型アクチュエータ装置１の組付けにより、ブッシュ３の突部３４が止め縁４３の凹部４４に嵌り込むことから、電磁誘導型アクチュエータ装置１をアッパーケース部４０の内側に簡単に止着固定できる。また、この電磁誘導型アクチュエータ装置１の固定により、ブッシュ３の突条３７を含む張出しフランジ部３２が環状の押え縁４５で圧縮されることから、アッパーケース部４０の放音孔４２ａ，４２ｂ…を設けた内面を取り囲むと共に、押え縁４５と緊密に密接するシール材としてアッパーケース部４０の内側で生ずる漏れ音響を防げる。
【００３０】
その電磁誘導型アクチュエータ装置１を内側に組み付けたアッパーケース部４０に対し、回路基板２を内側に組み付けたアンダーケース部４１を嵌合せ固定する。これに伴って、端子金具１７（１７）の板バネ１７ａが回路基板２の導電パターン２０に圧接されると共に、ブッシュ３の突条３６を含む張出しフランジ部３１が回路基板２の板面に圧接される。
【００３１】
この圧接により、ブッシュ３の突条３６を含む張出しフランジ部３１が圧縮されて所定の厚みを保つことから、パッド材として電磁誘導型アクチュエータ装置１と回路基板２の板面との相対間隔を一定に設定できる。それと共に、端子金具１７(１７)の板バネ１７ａが圧縮変形されて回路基板２の導電パターン２０と緊密に密接することにより電気的接続を確実に取れる。
【００３２】
それに加えて、ブッシュ３が弾性材であることから、電磁誘導型アクチュエータ装置１より生ずる振動が回路基板２並びにアッパーケース部４０に伝わるのを各張出しフランジ部３１，３２で防げるため、共振を防止できて良好な音響特性を発揮でき、また、衝撃を受けることによる内部機構の損傷も防げる。特に、ブッシュ３の突条３６が回路基板２の板面との接触面積を小さく保って緊密に接触することにより共振防止を確実に図れる。
【００３３】
端子金具１７(１７)としては、付け根側をハウジング１０の斜め外方に突出させて先端側を反上げ曲げた略レ字状の板バネ１７ａを有するものを備えるため、電磁誘導型アクチュエータ装置１の止め縁４３による止着固定と相俟って、その円弧状に撓み変形する接点により回路基板２の導電パターンを傷付けないで電気的接続を確実に取れる。
【００３４】
その端子金具１７（１７）は、図５で示すように端子台１０ｄの内部を切り欠いて板バネ１７ａの逃げ空間１０ｈを設けることにより、板バネ１７ａを撓み変形させるようにできる。また、図６で示すように板バネ１７ａを端子台１０ｄの端面側に逃がして撓み変形させてもよい。
【００３５】
上述した実施の形態では、ブッシュ３の突部３１，３２として円周方向に連続した環状のものを側壁３０に設けたが、それに代えて、図７で示すように円周方向の一部３８，３９を切り欠いて側壁３０と面一に形成したものを備え付けられる。これにより、端子台１０ｄから電磁誘導型アクチュエータ装置の全体幅を狭く抑えて組み立てるようにできる。
【００３６】
また、ブッシュ３に代えて、図８で示すように弾性材の突起５を側壁１０ｃの外側面に嵌込み固定することにより円周方向の定間隔毎に複数取り付けたハウジング１０を備えて構成することもできる。この突起５は、上述した実施の形態と同様に、図９で示す如くアッパーケース部４０の内側に設けた止め縁４３の凹部４４に嵌め合せることにより電磁誘導型アクチュエータ装置１を止着固定するようにできる。
【００３７】
その突起５による場合には、図９で示すようにハウジング１０の片開放端１０ａを覆うゴム，シリコン等の弾性材６をパッド材としてハウジング１０の片開放端１０ａと回路基板２の板面との間に挟み込むと共に、その他側の開放端１０ｂを覆うゴム，シリコン、その他の材質のシール材７を放音孔４２ａ，４２ｂ…の囲込み兼用としてアッパーケース部４０の内側に組み付ければよい。
【００３８】
なお、図８並びに図９で示す実施の形態のように、弾性材の突起５を側壁１０ｃの外側面に嵌込み固定することにより円周方向の定間隔毎に三個程度複数取り付けたハウジング１０を備え、その突起５を止め縁４３の凹部４４に嵌め合せて電磁誘導型アクチュエータ装置１を止着固定するだけで、振動に伴う共振防止と共に、電磁誘導型アクチュエータ装置１の上下動も防げる。
【００３９】
このため、図１０で示すように板バネ１７ａにより回路基板２の導電パターン２０との電気的接続を取ることからすれば、ハウジング１０の片開放端１０ａと１０ｂの回路基板２の板面との間に挟み込む弾性材や外装ケーシング４の内側に組み付けるシール材を備えないでも、回路基板２の導電パターン２０に対する電磁誘導型アクチュエータ装置１の取付構造として適用できる。
【００４０】
上述した実施の形態では、電磁誘導型アクチュエータ装置１の止め縁４３をアッパーケース部４０の内側に立ち上げて設ける場合で説明したが、その止め縁４３は回路基板２の板面に立上げ装着するようにもできる。
【００４１】
【発明の効果】
以上の如く、本発明の請求項１に係る電磁誘導型アクチュエータ装置の取付構造に依れば、ダイアフラムを嵌合せ固定するハウジングの開放端と反対側で端子台よりハウジングの外方に伸びる板バネを有する端子金具を端子台に備え、弾性材をパッド材として板バネの突出側でハウジングの開放端側と回路基板の板面との間に挟み込むと共に、板バネを回路基板の導電パターンに圧接させて端子金具を回路基板の導電パターンと電気的に接続することにより、弾性材が圧縮されて所定の厚みを保つことからパッド材として電磁誘導型アクチュエータ装置と回路基板の板面との相対間隔を一定に設定できると共に、端子金具の板バネが圧縮変形されて回路基板の導電パターンと緊密に密接することから電気的接続を確実に取れるよう構成できる。
【００４２】
本発明の請求項２に係る電磁誘導型アクチュエータ装置の取付構造に依れば、付け根側をハウジングの斜め外方に突出させて先端側を反上げ曲げた略レ字状の板バネを有する端子金具を端子台に備え、その板バネを回路基板の導電パターンに弾圧圧接させて端子金具を回路基板の導電パターンと電気的に接続することにより、電磁誘導型アクチュエータ装置の止着固定と相俟って、板バネの円弧状に撓み変形する接点により回路基板の導電パターンを傷付けないで電気的接続を確実に取れるよう構成できる。
【００４３】
本発明の請求項３に係る電磁誘導型アクチュエータ装置の取付構造に依れば、端子金具を備える端子台を除いてハウジングの側壁を外側から覆う側壁部と、ハウジングの各開放端を覆う環状の張出しフランジ部とを有する弾性材のブッシュを備え、ハウジングの片開放端を覆う張出しフランジ部をパッド材として回路基板の板面との間に挟み込むと共に、その他側の開放端を覆う張出しフランジ部を放音孔囲込み兼用のシール材として外装ケーシングの内側に組み付けることにより、弾性材を簡単に装備できて端子金具の板バネによる電気的接続を確実に取れるよう構成でき、また、電磁誘導型アクチュエータ装置より生ずる振動が回路基板並びに外装ケーシングに伝わることによる共振や漏れ音響を各張出しフランジ部で防止できて良好な音響特性を発揮できしかも衝撃を受けることによる内部機構の損傷も防げるよう構成できる。
【００４４】
本発明の請求項４に係る電磁誘導型アクチュエータ装置の取付構造に依れば、突部を側壁部の外周に設けたブッシュを備えると共に、そのブッシュの突部と嵌り合う凹部を有する止め縁を設けた外装ケーシングまたは回路基板を備え、ブッシュの突部を凹部に嵌め込んでブッシュを含む電磁誘導型アクチュエータ装置を止め縁で外装ケーシングまたは回路基板に止着固定することにより、電磁誘導型アクチュエータ装置と回路基板の板面との相対間隔を一定に設定させて電磁誘導型アクチュエータ装置を外装ケーシングの内側に簡単に組付け固定よう構成できる。
【００４５】
本発明の請求項５に係る電磁誘導型アクチュエータ装置の取付構造に依れば、弾性材の突起を側壁の外側面で円周方向定間隔毎に複数取り付けたハウジングを備えると共に、そのハウジングの突起と嵌り合う凹部を有する止め縁を設けた外装ケーシングまたは回路基板を備え、ハウジングの突起を凹部に嵌め込んで電磁誘導型アクチュエータ装置を止め縁で外装ケーシングまたは回路基板に止着固定することにより、ハウジングの側壁に備える突起によっても、電磁誘導型アクチュエータ装置と回路基板の板面との相対間隔を一定に設定させて電磁誘導型アクチュエータ装置を外装ケーシングの内側に簡単に組付け固定よう構成できる。
【００４６】
本発明の請求項６に係る電磁誘導型アクチュエータ装置の取付構造に依れば、ハウジングの片開放端を覆う弾性材をパッド材としてハウジングの片開放端と回路基板の板面との間に挟み込むと共に、その他側の開放端を覆うシール材を放音孔の囲込み兼用として外装ケーシングの内側に組み付けることにより、ハウジングの側壁に備える突起と共に、電磁誘導型アクチュエータ装置より生ずる振動が回路基板並びに外装ケーシングに伝わることによる共振や漏れ音響をパッド材，シール材で防止できて、良好な音響特性を発揮できしかも衝撃を受けることによる内部機構の損傷も防げるよう構成できる。
【００４７】
本発明の請求項７に係る電磁誘導型アクチュエータ装置の取付構造に依れば、環状の突条を回路基板の板面と相対する面内に設けた弾性材を備え、その突条を圧縮変形させて弾性材をパッド材としてハウジングの片開放端と回路基板の板面との間に挟み込むことにより、突条が回路基板の板面との接触面積を小さく保って緊密に接触することから共振防止をより確実に図れるよう構成できる。
【００４８】
本発明の請求項８に係る電磁誘導型アクチュエータ装置の取付構造に依れば、電磁誘導型アクチュエータ装置を携帯電話の内部に組付け装備するのに適用することにより、電気的構成に優れて良好な音響特性を発揮できしかも耐衝撃性に優れた携帯電話を構成できる。
【図面の簡単な説明】
【図１】本発明に一例に係る電磁誘導型アクチュエータ装置の取付構造を適用した携帯電話の内部構造を示す説明図である。
【図２】本発明の取付構造を適用する電磁誘導型アクチュエータ装置の構成を示す断面図である。
【図３ａ】本発明の取付構造を適用するブッシュを被せた電磁誘導型アクチュエータ装置をダイアフラム側から示す平面図である。
【図３ｂ】図３ａの電磁誘導型アクチュエータ装置を示す側面図である。
【図３ｃ】図３ａの電磁誘導型アクチュエータ装置を示す正面図である。
【図３ｄ】図３ａの電磁誘導型アクチュエータ装置を示す背面図である。
【図３ｅ】図３ａの電磁誘導型アクチュエータ装置を示す底面図である。
【図３ｆ】図３ａの電磁誘導型アクチュエータ装置を図３ａのＡ―Ａ線で示す断面図である。
【図４ａ】図３ａのブッシュを示す平面図である。
【図４ｂ】図３ａのブッシュを示す正面図である。
【図４ｃ】図３ａのブッシュを図４ａのＢ―Ｂ線で示す断面図である。
【図４ｄ】図３ａのブッシュを図４ａのＣ―Ｃ線で示す断面図である。
【図５】図１の電磁誘導型アクチュエータ装置における板バネの弾圧変形例を示す説明図である。
【図６】図１の電磁誘導型アクチュエータ装置における板バネの別の弾圧変形例を示す説明図である。
【図７ａ】本発明の取付構造を適用する別のブッシュを被せた電磁誘導型アクチュエータ装置をダイアフラム側から示す平面図である。
【図７ｂ】図７ａの電磁誘導型アクチュエータ装置を示す正面図である。
【図７ｃ】図７ａの電磁誘導型アクチュエータ装置を示す背面図である。
【図８】本発明の取付構造を適用する別の突起を備えたハウジングを部分的に示す断面図である。
【図９】本発明の別の実施の形態に係る電磁誘導型アクチュエータ装置の取付構造を示す説明図である
【図１０】図８並びに図９で示す実施の形態の応用例に係る電磁誘導型アクチュエータ装置の取付構造を示す説明図である。
【符号の説明】
１                    電磁誘導型アクチュエータ装置
１０                  ハウジング
１１                  マグネット
１２                  ヨーク
１３                  ポールピース
１４ａ，１４ｂ        スプリング
１５                  ダイアフラム
１６                  ボイスコイル
１７（１７）          端子金具
１７ａ                板バネ
２                    回路基板
２０                  導電パターン
３                    ブッシュ（弾性材）
３０                  ブッシュの側壁部
３１，３２            ブッシュの張出しフランジ部
３４，３５            ブッシュの突部
３６                  ブッシュの突条
４                    外装ケーシング
４２ａ，４２ｂ…      外装ケーシングの放音孔
４３                  押え縁
４４                  押え縁の凹部
５                    弾性材の突起
６                    弾性材のパッド材
７                    シール材
【図１】
0004997366.tif 000002
【図２】
0004997366.tif 000003
【図３ａ】
0004997366.tif 000004
【図３ｂ】
0004997366.tif 000005
【図３ｃ】
0004997366.tif 000006
【図３ｄ】
0004997366.tif 000007
【図３ｅ】
0004997366.tif 000008
【図３ｆ】
0004997366.tif 000009
【図４ａ】
0004997366.tif 000010
【図４ｂ】
0004997366.tif 000011
【図４ｃ】
0004997366.tif 000012
【図４ｄ】
0004997366.tif 000013
【図５】
0004997366.tif 000014
【図６】
0004997366.tif 000015
【図７ａ】
0004997366.tif 000016
【図７ｂ】
0004997366.tif 000017
【図７ｃ】
0004997366.tif 000018
【図８】
0004997366.tif 000019
【図９】
0004997366.tif 000020
【図１０】
0004997366.tif 000021